(57)【特許請求の範囲】
【請求項１】
天壁部材(11)、底壁部材(12)、左側壁部材(13)、右側壁部材(14)及び奥壁部材(15)により構成され、開口部(10)を有する檻本体(1)と、昇降することにより前記開口部(10)を開閉自在に設けられている開閉扉(2)と、該開閉扉(2)を閉じ動作させるトリガー装置(3)を備えた檻構造の罠装置であって、
前記開閉扉(2)は摺動部(20)を有しており、
前記トリガー装置(3)は、
前記檻本体(1)の天壁部材(11)に、前記開閉扉(2)を下から支持すべく前端部側を天壁部材(11)の前縁部からやや前方へ突出させ、かつ前記開閉扉(2)を上昇させて前端部が前記摺動部(20)と摺動している状態が解除されることにより、後部側が上がった状態から後方へ回動して倒れるようにしてあり、倒れた状態でトリガー部材(31)を係合させて回動を止めることで、開閉扉(2)を支えて開閉扉(2)が閉じ方向へ移動するのを停止させる停止部材(31)と、
該停止部材(31)が開閉扉(2)が閉じ方向へ移動するのを停止させる状態の維持と解除を行うトリガー部材(32)と、
前記停止部材(31)に対する前記トリガー部材(32)の掛かり位置を、仮止め位置及び罠仕掛け位置に設定する位置設定装置(33)と、
檻本体内に獲物が入ったことを感知して前記トリガー部材(32)と停止部材(31)との掛かりを外す手段(34)と、
を備えている、
罠装置。
【請求項２】
開閉扉(2)が閉じた後、開閉扉(2)が開かないようにする開閉扉ロック装置(5)を備えている、
請求項１の罠装置。
【発明の詳細な説明】
【０００１】
【発明の属する技術分野】
本発明は、罠装置に関するものである。更に詳しくは、檻構造の罠装置において、狩猟者一人での罠の仕掛け（セット）が短時間で容易にできるようにしたものに関する。
【０００２】
【従来技術】
罠猟に使用する罠として、檻構造の罠がある。この罠は、一般に箱罠といわれるもので、開閉扉を上昇させて開けた状態でセットしておき、獲物が檻の内部に入ってトリガーを作動させることによって開閉扉を落とし、獲物を捕獲するようにしたものである。
箱罠の一般的な構造は、開閉扉をトリガーで支えてセットするものであり、セットする際は重い開閉扉を上昇させて狩猟者が支えた状態で、トリガーの微妙な掛かりを調整していた。
【０００３】
【発明が解決しようとする課題】
上記従来の檻構造の罠には、つぎのような課題があった。
すなわち、トリガーの掛かりの設定には上記したように微妙な調整が必要で、一人の狩猟者が重い開閉扉を支えた状態でこの調整を行うことは困難であり、調整中あるいは調整後に掛かりが外れて開閉扉が落ちてしまう等、危険であった。
このように、罠を安全、確実に仕掛けるには狩猟者一人では不十分であり、二人以上の狩猟者が組になって仕掛けを行う必要があった。
このため、従来の檻構造の罠では、二人揃わないと猟場での罠の仕掛けができないという制約があり、狩猟者が一人で活動するには不自由であった。
【０００４】
本発明の目的は、檻構造の罠装置の仕掛けを、狩猟者一人でも短時間で容易にできるようにして、狩猟者が一人で活動する場合の不自由さを解消することである。
【０００５】
【課題を解決するための手段】
上記目的を達成するために講じた本発明の手段は次のとおりである。
第１の発明にあっては、
天壁部材、底壁部材、左側壁部材、右側壁部材及び奥壁部材により構成され、開口部を有する檻本体と、昇降することにより前記開口部を開閉自在に設けられている開閉扉と、該開閉扉を閉じ動作させるトリガー装置を備えた檻構造の罠装置であって、
前記開閉扉は摺動部を有しており、
前記トリガー装置は、
前記檻本体の天壁部材に、前記開閉扉を下から支持すべく前端部側を天壁部材の前縁部からやや前方へ突出させ、かつ前記開閉扉を上昇させて前端部が前記摺動部と摺動している状態が解除されることにより、後部側が上がった状態から後方へ回動して倒れるようにしてあり、倒れた状態でトリガー部材を係合させて回動を止めることで、開閉扉を支えて開閉扉が閉じ方向へ移動するのを停止させる停止部材と、
該停止部材が開閉扉が閉じ方向へ移動するのを停止させる状態の維持と解除を行うトリガー部材と、
前記停止部材に対する前記トリガー部材の掛かり位置を、仮止め位置及び罠仕掛け位置に設定する位置設定装置と、
檻本体内に獲物が入ったことを感知して前記トリガー部材と停止部材との掛かりを外す手段と、
を備えている、罠装置である。
【０００６】
第２発明にあっては、
開閉扉が閉じた後、開閉扉が開かないようにする開閉扉ロック装置を備えている、
第１の発明に係る罠装置である。
【０００７】
（作用）
本発明に係る罠装置は、トリガー装置の掛かりを適宜位置に一旦仮止めすることができると共にトリガー装置の掛かり位置を罠仕掛けのための位置に位置させることができる。
すなわち、トリガー装置の停止部材とトリガー部材等の掛かりを仮止めして開閉扉を支えることができるので、狩猟者が重い開閉扉を支える必要はなく、上記状態で開閉扉を開けた状態のままでトリガー装置の掛かりの操作等の他の作業が安全にできる。これにより、狩猟者一人での罠仕掛けが可能になる。
【０００８】
また、トリガー装置の掛かり位置を、あらかじめ設定された罠仕掛けのための位置に位置設定装置等によって位置させることができるので、微妙な調整等は不要である。これにより、トリガー装置の停止部材とトリガー部材等の掛かりの設定が容易かつ確実にでき、罠仕掛けが確実にできる。従って、檻本体内に獲物が入ったことを感知する手段の感知によりトリガー装置が作動するときの誤作動も起こりにくい。
【０００９】
トリガー装置の作動によって開閉扉が閉じた後、開閉扉が本質的に開かないようにする手段が設けられているものは、捕獲された獲物が、例えば開閉扉を跳ね上げる等して開けて逃げてしまうことを防止できる。
【００１０】
トリガー装置が作動したことを報知する手段を備えているものは、例えば発信機と受信機を使用することによって、狩猟者が罠を仕掛けた場所にいなくても罠が作動したことが分かるので、いち早く罠の場所に来ることができる。そして、獲物が捕獲されていた場合は迅速に処分することができる。
また、狩猟者が罠を仕掛けた場所を見回る必要がないので、罠の周囲に人間の匂いがつくことがなく、捕獲対象獣が警戒しないため捕獲率が向上する。
【００１１】
獲物が罠装置に捕獲された状態を時間的に短くできるので、他の捕獲対象獣に本発明に係る罠装置が危険であることを学習させてしまう機会を減らすことができるので、結果的に捕獲率（捕獲数）を向上させることができる。
更に、いたずら等、何らかの原因でトリガー装置が作動して開閉扉が閉まったような場合も、罠を手早く仕掛け状態にすることにより、捕獲可能な状態での時間を長くすることができるので、結果的に捕獲率（捕獲数）を向上させることができる。
【００１２】
【発明の実施の形態】
本発明を図面に示した実施の形態に基づき更に詳細に説明する。
図１は本発明に係る罠装置の実施の形態を示す一部を省略した斜視説明図である。
図２は停止部材の動きを示す説明図で、（ａ）は罠仕掛け状態、（ｂ）は作動状態である。
図３は開閉扉ロック装置の構造を示す説明図で、（ａ）は側面図、（ｂ）は後面図である。
図４はトリガー部材の動きを示す説明図で、（ａ）は仮セット状態、（ｂ）は位置セット状態、（ｃ）は罠仕掛け状態、（ｄ）は作動状態である。
【００１３】
符号Ａは罠装置である。まず、罠装置Ａの概要を説明する。
罠装置Ａは、全体が檻構造であり、檻本体１と、檻本体１の開口部１０に昇降することにより開閉可能に設けられた開閉扉２と、開閉扉２を閉じ作動させるトリガー装置と、報知装置４を備えている。
【００１４】
罠装置Ａは、開閉扉２を開けた状態でトリガー装置３によって停止させておき、檻本体１に獲物が入ったことを感知して作動したトリガー装置３によって開閉扉２が落ち、開口部１０を閉じて獲物を捕獲するようになっている。また、報知装置４はトリガー装置３が作動したことを報知する。
【００１５】
次に、罠装置Ａを詳細に説明する。
檻本体１は、鉄製のアングルで形成された四角形の枠体の内側に棒体１０２または細板体１０１を交差させて設けた天壁部材１１、底壁部材１２、左右側壁部材１３、１４、奥壁部材１５から成り、正面側に開口部１０が設けられている。
これら、天壁部材１１、底壁部材１２、左右側壁部材１３、１４、奥壁部材１５は、ボルト・ナットによって互いに固定されており、分解・組立が可能な構造である。
【００１６】
檻本体１を構成する上記各部材のうち天壁部材１１は、アングルで構成した枠の内側に前後方向の二本の細板体１０１に左右方向の多数の棒体１０２を直角方向に通して交差させた構造である。奥壁部材１５は左右方向の三本の細板体１０１に上下方向の多数の棒体１０２を直角方向に通して交差させた構造である。また、後述する開閉扉２は奥壁部材１５とほぼ同様である。他の底壁部材１２、左右側壁部材１３、１４は、棒体１０２のみを交差させた構造である。
なお、上記細板体１０１は各部材の内外方向に対し幅方向を平行にして固定されており、特に天壁部材１１と奥壁部材１５及び開閉扉２は、内外方向の圧力や衝撃に対して強い構造となっている。
【００１７】
檻本体１の開口部１０の左右両側には、ガイド部材１６がそれぞれ垂直に設けられている。ガイド部材１６は、開口部１０の下端部から、上端部より上方まで延出して設けられている。ガイド部材１６の前部側（図１で右側）には、横断面形状がコ字状のガイド溝１６０がそれぞれ設けられている。各ガイド溝１６０は開口側を向かい合わせて設けられている。
【００１８】
ガイド部材１６のうち、ガイド溝１６０を構成する後板１６１には、開閉扉２が閉じた後、開閉扉２が本質的に開かないようにする手段を構成する開閉扉ロック装置５がそれぞれ設けられている。
【００１９】
図３を参照して、開閉扉ロック装置５の構造を説明する。
各ガイド部材１６の後板１６１及び後板１６１と共にガイド溝１６０を構成する前板１６２には、同じ高さに挿通孔１６３が設けられている。
後板１６１の後面側には、挿通孔１６３のやや下側に断面Ｌ字状の基体５０が後方向へ向け水平に設けられている。
【００２０】
各基体５０は、開放側を向かい合わせにして設けられている。基体５０の中間部と基部（前部）寄りには、ブラケット５１、５２が設けられている。ブラケット５１、５２の中央部には、上記挿通孔１６３と軸線を同じにする挿通孔５３、５４が設けられている。また、基体５０の先部（後部）寄りには、上側から切り込んだ係合溝５５が縦方向に設けられている。なお、係合溝５５を設けないで基体５０の先端部を係合部として利用することもできる。
【００２１】
ブラケット５１、５２の挿通孔５３、５４には、Ｌ字形状のロックピン５６がスライド可能に挿通されている。ロックピン５６の側部には、ストッパー５７が突出して設けられている。ストッパー５７の位置は、ストッパー５７が前側のブラケット５２の後面に当たることにより、ロックピン５６の先端が前板１６２の挿通孔１６３を通過して前面からやや突出する位置で停止するように設定されている。そして、ロックピン５６は、後側のブラケット５１の前面とストッパー５７の間に装着されている圧縮バネ５８で前方向へ付勢されている。
【００２２】
両ガイド部材１６の間には、両側を各ガイド溝１６０に嵌め入れて上下方向にスライド可能に設けられた開閉扉２を備えている。
開閉扉２は、両ガイド部材１６を開口部１０より上方へ延出して設けることにより、延出した部分で開閉扉２を保持して開口部１０を全開にした状態にすることができる。開閉扉２は、檻本体１の開口部１０と同じ大きさに形成されており、閉じることによって開口部１０を獲物が出られない状態で塞ぐことができる。
開閉扉２の前面側の下部には、開閉扉２を昇降させる操作をしやすくする把手２１が設けられている。
【００２３】
開閉扉２の後面側の中央部には、後述する停止部材３１の前端部が当接する細板状の摺動部２０が垂直に設けられている。
なお、開閉扉２が落ちて開口部１０を閉じた状態で、上記開閉扉ロック装置５を図３（ａ）の状態にしておけば、開閉扉２が上方へ動くと上部がロックピン５６に当たるので、開閉扉２は下側がやや開くだけであり、捕獲された獲物は出ることができない。
【００２４】
檻本体１には、トリガー装置３が設けられている。トリガー装置３は、上昇した開閉扉２を下から支える板状の停止部材３１と、停止部材３１に掛かって停止部材３１による開閉扉２の支持を維持できるようにし、維持状態の解除も行うトリガー部材３２と、トリガー部材３２の停止部材３１に対する掛かり位置を、仮止め位置及び罠仕掛け位置に設定するための位置設定装置３３と、獲物が檻本体１内に入ったことを感知する感知ワイヤ３４とを備えている。
【００２５】
図１、図２を参照して停止部材３１の構造を説明する。
停止部材３１は、天壁部材１１の開口部１０を構成する横部材１１０の中央部に設けられている。停止部材３１は、長手方向を前後方向と平行とし、前端部側を横部材１１０の前縁部からやや前方へ突出させ、蝶番３１０を介し前後方側へ回動できるようにして取り付けられている。
【００２６】
停止部材３１は、蝶番３１０で前部寄りを軸支しているので、外力が作用しない状態においては後方へ倒れてほぼ水平になる。なお、本実施の形態では重力を利用して後方へ倒れるようになっているが、バネ等の付勢体で付勢することにより倒れるようにしてもよい。
停止部材３１の前端部は、両ガイド溝１６０に沿って昇降する開閉扉２の底面に掛かる位置まで延出されているので、停止部材３１を水平に固定すれば開閉扉２を下から支持することができる（図２（ａ）参照）。
また、支持が解除されて開閉扉２が下降すると、停止部材３１は前部が開閉扉２に押さえられて前方へ回動し、後部側が跳ね上がる（図２（ｂ）参照）。
【００２７】
停止部材３１の後方には、トリガー部材３２が水平方向に回動可能に取り付けられている。トリガー部材３２は、天壁部材１１の一方側の細板体１０１に回転軸部材３２０を介し取り付けてある。トリガー部材３２のうち、一端側（回転軸部材３２０を境界として短尺側）は後述する報知装置４の発信機４０近傍に位置するよう設定されており、他端側（回転軸部材３２０を境界として長尺側）は、天壁部材１１の側端部に設けられた位置設定装置３３を貫通するよう設定されている。
【００２８】
トリガー部材３２の短尺側の端部寄りには、ロッド３２１が立ててある。ロッド３２１は、基部の通孔をトリガー部材３２に嵌め入れ、通孔に貫通するネジで締め付けて固定する構造であり、トリガー部材３２に沿って移動させることができ、角度も調整できる。
トリガー部材３２の長尺側の端部寄りには、二本のネジ３２２が間隔をおいて立ててある。
【００２９】
トリガー部材３２の長尺側の端部は、上記したように天壁部材１１の側端部に設けられた位置設定装置３３を貫通させてある。位置設定装置３３は、横長に形成されたほぼ長方形状の基板３３０を有している。基板３３０には、水平方向にガイド長孔３３１が設けられている。トリガー部材３２はガイド長孔３３１を貫通している。
【００３０】
ガイド長孔３３１の前端部には上方へ切欠いて仮止め係合部３３２が設けられており、後端部には下方へ切欠いて係合部３３６が設けられている。係合部３３６は作動したトリガー部材３２が前方へ戻らないようにするものであるが、前方へ戻らないようにする構造としてはこれに限定するものではなく、例えば位置設定装置３３の基板３３０の係合フック３３３の隣（ガイド長孔３３１の後端部寄り）に係合フック３３３と前後の向きを逆（対称形状）にした係合フック（図示省略）を設けて、前方へ戻ろうとするトリガー部材３２が係合部に引っ掛かるようにすることもできる。
【００３１】
また、基板３３０の外面側には、トリガー部材３２の停止部材３１との掛かり位置を罠仕掛けのための位置に自動的に位置させることができる係合フック３３３が設けられている。係合フック３３３は、基部がピン３３４で回動可能に取り付けられており、自重で自然に垂れ下がったときに、トリガー部材３２が移動するガイド長孔３３１に係合部３３５が重なるように設定されている。
【００３２】
感知ワイヤ３４の一端側は、右側壁部材１４の縦方向の棒体１０２の下部寄りに括り付けてある。感知ワイヤ３４の他端側は、左側壁部材１３の縦方向の棒体１０２に固定された挿通環３４０を通り、更に天壁部材１１の左右方向の棒体１０２に掛けられて、トリガー部材３２まで誘導される。罠仕掛け時には、感知ワイヤ３４の先端部は、トリガー部材３２の二つのネジ３２２に巻き掛けられて固定される。なお、挿通環３４０はネジで締め付けて固定する構造で、棒体１０２に沿って高さの調整が可能である。
【００３３】
また、天壁部材１１の後部寄りの一方側には、許可証のシール等を貼り付けるための表示板１７が設けられている。このようにシール等を罠上面に貼るようにしているので、獲物の目線で反射しにくく、光ることにより警戒させてしまうことがない。
【００３４】
報知装置４は発信機４０と受信機４１で構成される。天壁部材１１には、報知装置４を構成する発信機４０が取り付けてある。発信機４０は、取付台４２によって棒体１０２間に設けられた台板に固定されており、防水のためカバー４３が被せてある。カバー４３のうち、前部側は開口している。カバー４３はネジ着されているが、いたずらを防止するために錠をかける構造としてもよい。
【００３５】
発信機４０は、スイッチ板４４を所定位置まで抜くことによって発信する構造であるが、これに限定するものではなく、他の構造の発信機を採用することもできる。スイッチ板４４には、柔軟性を有する紐４５の一端がつながれており、紐４５の他端は上記トリガー部材３２のロッド３２１につながれている。なお、紐４５が柔軟性を有していることにより、一端スイッチ板４４が引かれた後でトリガー部材３２が戻っても、スイッチ板４４が再び収容部に入って発信が停止するということはなく、発信状態を確実に維持できる。
【００３６】
上記構造により、スイッチ板４４はトリガー部材３２と連動する。なお、スイッチ板４４の位置の設定は、後述するが、トリガー部材３２が罠仕掛け状態にあるときに収容部に入った位置（発信しない）にあり、トリガー装置３が作動したときに収容部から所定位置（発信する）まで抜けるように調整されている。
なお、受信機４１は、発信機が発信する信号を受信して、音を発したりランプやデジタル表示で報知し、あわせてトリガー装置３が作動した罠装置Ａを特定できるようになっている。
【００３７】
（作  用）
図１ないし図４を参照して、本実施の形態に係る罠装置Ａの作用を説明する。
（１）獣道等、捕獲対象となる獣の通るところに罠装置Ａを設置する。各開閉扉ロック装置５のロックピン５６を後退させて係合溝５５に係合させ、開閉扉２の昇降を可能にする。そして、開閉扉２に設けられている把手２１を持って開閉扉２を上昇させる。狩猟者は把手２１を握ることによって開閉扉２を確実に持ち上げることができ、過って開閉扉２を落としたり、これにより手や足を挟んで怪我することを防止できる。
（２）開閉扉２を上昇させると、開閉扉２の下端部が檻本体１の開口部１０の上縁部を超えたところで停止部材３１の摺動部２０との当接状態（摺動している状態）が解除され、停止部材３１は後部側の重みで後方へ倒れてほぼ水平になる。
【００３８】
（３）停止部材３１が水平になった状態で、一方の手で開閉扉２を支えながら他方の手でトリガー部材３２の長尺側を停止部材３１の上に被さるように前方へ回動させる。トリガー部材３２は係合フック３３３を押し回して、ガイド長孔３３１の前端部に当たる。
（４）開閉扉２を静かに降ろして、下端面を停止部材３１の前端部に乗せる。このとき、停止部材３１はトリガー部材３２が後部に被さっているので、前方へ回動することができず、従って、開閉扉２は停止部材３１によって下方から支持される。また、このとき停止部材３１は、開閉扉２の重さによって後部側が上昇しトリガー部材３２を持ち上げるため、トリガー部材３２は仮止め係合部３３２に係合し、仮止め状態となる（図４（ａ）参照）。
【００３９】
（５）トリガー部材３２を押し下げ操作して仮止め係合部３３２との係合を外し、更に後方へ回動させる。後方へ移動したトリガー部材３２は、係合フック３３３を押し回し、これにより係合部３３５に係合して止まる（図１、図４（ｂ）参照）。この停止位置が罠仕掛け時の掛かり位置であり、係合フック３３３によって自動的に決まる。
（６）この状態で、挿通環３４０の高さを、捕獲対象となる獲物の大きさに合わせて調整する。つまり、イノシシの子供や狸等、小型獣も捕獲したいときは、左右側壁部材１３、１４間を横切る感知ワイヤ３４の高さを低く設定する。また、イノシシ等の大型獣のみを捕獲したいときには感知ワイヤ３４の高さを高く設定する。
そして、感知ワイヤ３４を適当に緊張させながら、先端部をトリガー部材３２のネジ３２２に巻き掛けて固定する。
【００４０】
（７）各開閉扉ロック装置５のロックピン５６の係合溝５５との係合を外し、圧縮バネ５８の付勢力によってロックピン５６の先端部を、ガイド溝１６０内に停止している開閉扉２の枠体後面に当接させた状態とする。
（８）安全装置である係合フック３３３をトリガー部材３２との係合が外れる方向へ回し、ほぼ一回転させてトリガー部材３２の前方に位置させる（図４（ｃ）参照）。これで、罠の仕掛けは終了である。
【００４１】
（９）獲物が餌につられて開口部１０から檻本体１内に入り、感知ワイヤ３４に触れると、感知ワイヤ３４が強く緊張してトリガー部材３２が後方へ引かれ回動する（図４（ｄ）参照）。これによって、トリガー部材３２と停止部材３１との掛かりが外れ、開閉扉２の重みで停止部材３１が前方へ回動し、停止部材３１による支えがなくなった開閉扉２は瞬時に下方へ落ちる。これによって、檻本体１の開口部１０は閉じられ、捕獲された獲物は外へ出ることができない。獲物が、距離のある奥壁部材１５と開閉扉２間を往復して突進を繰り返しても、奥壁部材１５と開閉扉２は上記したように内外方向の圧力や衝撃に対して強いので、損傷を受けにくい。
【００４２】
なお、トリガー部材３２は係合部３３６に係合するので、次にトリガー装置３をセットするときにトリガー部材３２が停止部材３１が後方へ倒れるときに邪魔にならない。また、トリガー部材３２を係合部３３６に係合させて戻りにくい構造とすることにより、スイッチ板４４とロッド３２１をつなぐ紐４５に代えて、強度にすぐれる金属板や高剛性の針金等を採用することもできる。
【００４３】
（１０）トリガー部材３２の長尺側が感知ワイヤ３４で引かれて後方へ回動することにより、トリガー部材３２の短尺側は反対に前方へ回動する。これにより、発信機４０のスイッチ板４４が収容部から抜け、信号が発信され、受信機４１側の報知によって、狩猟者はトリガー装置３が作動したことを知ることができる。また、携帯電話のサービスを利用してより遠くの受信機４１に信号を送ることができるようにしてもよい。
【００４４】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００４５】
【発明の効果】
（ａ）本発明に係る罠装置は、トリガー装置の掛かりを適宜位置に一旦仮止めすることができると共にトリガー装置の掛かり位置を罠仕掛けのための位置に位置させることができる。すなわち、トリガー装置の掛かりを仮止めして開閉扉を支えることができるので、狩猟者が重い開閉扉を支える必要はなく、上記状態で開閉扉を開けた状態のままでトリガー装置の掛かりの操作等の他の作業が安全にできる。これにより、狩猟者一人での罠仕掛けが可能になる。
【００４６】
（ｂ）トリガー装置の掛かり位置をあらかじめ設定された罠仕掛けのための位置に位置させることができるので、微妙な調整等は不要である。これにより、トリガー装置の掛かりの設定が容易かつ確実にでき、罠仕掛けが確実にできるので、誤作動もしにくい。
【００４７】
（ｃ）トリガー装置の作動によって開閉扉が閉じた後、開閉扉が本質的に開かないようにする手段が設けられているものは、捕獲された獲物が、例えば開閉扉を跳ね上げる等して開けて逃げてしまうことを防止できる。
【００４８】
（ｄ）トリガー装置が作動したことを報知する手段を備えているものは、例えば発信機と受信機を使用することによって、狩猟者が罠を仕掛けた場所にいなくても罠が作動したことが分かるので、いち早く罠の場所に来ることができる。そして、獲物が捕獲されていた場合は迅速に処分することができる。
また、狩猟者が罠を仕掛けた場所を見回る必要がないので、罠の周囲に人間の匂いがつくことがなく、捕獲対象獣が警戒しないため捕獲率が向上する。
獲物が罠装置に捕獲された状態を時間的に短くできるので、他の捕獲対象獣に本発明に係る罠装置が危険であることを学習させてしまう機会を減らすことができるので、結果的に捕獲率（捕獲数）を向上させることができる。
更に、いたずら等、何らかの原因でトリガー装置が作動して開閉扉が閉まったような場合も、罠を手早く仕掛け状態にすることにより、捕獲可能な状態での時間を長くすることができるので、結果的に捕獲率（捕獲数）を向上させることができる。
【図面の簡単な説明】
【図１】  本発明に係る罠装置の実施の形態を示す一部を省略した斜視説明図。
【図２】  停止部材の動きを示す説明図。
【図３】  開閉扉ロック装置の構造を示す説明図。
【図４】  トリガー部材の動きを示す説明図。
【符号の説明】
Ａ  罠装置
１  檻本体
１０  開口部
１１  天壁部材
１１０  横部材
１２  底壁部材
１３  左側壁部材
１４  右側壁部材
１５  奥壁部材
１０１  細板体
１０２  棒体
１６  ガイド部材
１６０  ガイド溝
１６１  後板
１６２  前板
１６３  挿通孔
１７  表示板
２  開閉扉
２０  摺動部
２１  把手
３  トリガー装置
３１  停止部材
３１０  蝶番
３２  トリガー部材
３２０  回転軸部材
３２１  ロッド
３２２  ネジ
３３  位置設定装置
３３０  基板
３３１  ガイド長孔
３３２  仮止め係合部
３３３  係合フック
３３４  ピン
３３５  係合部
３３６  係合部
３４  感知ワイヤ
３４０  挿通環
４  報知装置
４０  発信機
４１  受信機
４２  取付台
４３  カバー
４４  スイッチ板
４５  紐
５  開閉扉ロック装置
５０  基体
５１、５２  ブラケット
５３、５４  挿通孔
５５  係合溝
５６  ロックピン
５７  ストッパー
５８  圧縮バネ
【図１】
0003953779.tif 000002
【図２】
0003953779.tif 000003
【図３】
0003953779.tif 000004
【図４】
0003953779.tif 000005